(57)【要約】  【課題】  低コストで多くの子局と通信ができる局側端局装置およびＰＯＮシステムを提供すること。  【解決手段】  局側端局装置ＯＬＴ１０は、子局ＯＮＵ９０に対して、送信される光信号を時分割多重させる制御フレームを分配し、制御フレームを管理する制御回路としてのＧＥ−ＰＯＮ ＭＡＣ ＬＳＩ４０と、ＧＥ−ＰＯＮ ＭＡＣ ＬＳＩ４０で用いられる電気信号と子局９０で用いられる光信号との相互の変換を行う光送受信部２０と、光送受信部２０からＧＥ−ＰＯＮ ＭＡＣ ＬＳＩ４０へ電気信号を送るために、電気信号について論理和をとる論理和回路５０とを備えている。ＰＯＮシステム１には、局側端局装置１０と複数の子局９０とを、幹線光ファイバ７０と光分岐器８０と支線光ファイバ７１とで結び光通信を行う。【選択図】        図２
2006352350.tif 000002
【特許請求の範囲】
【請求項１】
複数ｍ局の子局を光ファイバで結び光通信を行うＰＯＮ（Passive Optical Network）システムに用いられる局側端局装置において、
上記局側端局装置は、
複数ｍ局の子局に対して、子局から送信される光信号を時分割多重させる制御フレームを分配し、上記制御フレームを管理する制御回路と、
上記制御回路と複数の子局とに接続され、上記制御回路で用いられる電気信号と上記各子局から送信される光信号との相互の変換を行う複数ｎ個の光送受信部と、
上記複数ｎ個の光送受信部からの電気信号について論理和をとって上記制御回路へ送るための論理和回路と、を備える、局側端局装置。
【請求項２】
局側端局装置と、複数ｍ局の子局とを光ファイバで結び光通信を行うＰＯＮ（Passive Optical Network）システムにおいて、
上記局側端局装置は、
複数ｍ局の子局に対して、子局から送信される光信号を時分割多重させる制御フレームを分配し、上記制御フレームを管理する制御回路と、
上記制御回路と複数の子局とに接続され、上記制御回路で用いられる電気信号と上記各子局から送信される光信号との相互の変換を行う複数ｎ個の光送受信部と、
上記複数ｎ個の光送受信部からの電気信号について論理和をとって上記制御回路へ送るための論理和回路と、を備える、ＰＯＮシステム。
【請求項３】
上記少なくとも１つの光送受信部に接続されている光ファイバは、
上記局側端局装置からの光信号を分配する光分岐器により複数に分岐されている、請求項２に記載のＰＯＮシステム。
【発明の詳細な説明】
【技術分野】
【０００１】
本発明は、複数の子局を光ファイバで結び光通信を行う局側端局装置に関し、特に子局を多く収容することができる局側端局装置およびＰＯＮシステムに関する。
【背景技術】
【０００２】
局側端局装置ＯＬＴ（Optical Line Terminal：光加入者線局側端局装置）と、複数の子局ＯＮＵ（Optical Network Unit：光加入者側端末）との間を、光データ通信ネットワークを使って双方向通信する光通信システムがある。そして、局側端局装置ＯＬＴと各子局ＯＮＵとの間を、それぞれ１本の光ファイバで放射状に結ぶ（Single Star）ネットワーク構成が実用化されている。このネットワーク構成では、システムおよび機器構成は簡単になるが、１つの子局ＯＮＵが一本の光ファイバを占有し、子局ＯＮＵ数がＮ局あれば、局側端局装置ＯＬＴから直接接続される光ファイバがＮ本必要となり、システムの低価格化を図るのが困難である。
【０００３】
そこで、局側端局装置ＯＬＴから引かれる１本の光ファイバを、複数の子局ＯＮＵで共有するＰＯＮ（Passive Optical Network）システム（ＰＤＳ（Passive Double Star）ともいう。）が実用化されている。また、ＰＯＮシステムは、ＦＴＴＨ（Fiber To The Home）やＦＴＴＢ（Fiber To The Building）などのＦＴＴｘに適用されてきた低価格の光加入者用アクセス方式の１つである。
【０００４】
ＰＯＮシステムは、局側端局装置ＯＬＴと、特に外部からの電源供給を必要とせず入力された信号から受動的（Passive）に信号を分岐・多重する受動型光分岐器（以下、単に光カプラという。）とが、伝搬モードが単一であるシングルモードファイバ（Single Mode Fiber：以下、単に光ファイバという。）で接続されている。
子局ＯＮＵは通常、複数あり、子局ＯＮＵの数に応じた光ファイバで接続されている。局側端局装置ＯＬＴとＮ局の子局ＯＮＵとは、光ファイバおよび光カプラを介して接続された１対Ｎの伝送を基本としている。これにより、１つの局側端局装置ＯＬＴに対して、多くの子局ＯＮＵを割り当てることができ、全体的な設備コストを抑えることができる。
【０００５】
なお、光カプラと複数の子局ＯＮＵとの間に、さらに他の光カプラを挿入する構成を用いてもよい。
そして、ＰＯＮシステムでは、局側端局装置ＯＬＴから子局ＯＮＵに送信される下り光信号は、全子局ＯＮＵに配信されるが、論理リンクの識別子が付加されており、当該論理リンクを構成する子局ＯＮＵのみが光信号を取り込むことができる。そして、子局ＯＮＵから送信される上り光信号は、子局ＯＮＵどうしで衝突しないように、各子局ＯＮＵの送信時間が割り当てされている。
【０００６】
図４は、従来のＰＯＮシステム１００での局側端局装置ＯＬＴ１１０の内部構成を示すブロック図である。
上位網インターフェース１５０は、インターネットなどの上位ネットワークと接続するためのインターフェースであり、1000BASE-Tなどのギガビットイーサネット（イーサネット（Ethernet）は、登録商標である。）である。ＧＥ−ＰＯＮ ＭＡＣ ＬＳＩ（以下、ＭＡＣ ＬＳＩとする）１４０は、IEEE802.3ahに準拠したＧＥ−ＰＯＮ制御を実施し、ＰＯＮ伝送路１６０上に接続される複数の子局ＯＮＵ（１９０a〜１９０i）の上り送信タイミングを制御する。光送受信部１２０は、ＭＡＣ ＬＳＩ１４０から送られた電気信号を光信号に変換するＥ／Ｏ変換、および、子局ＯＮＵ１９０から送られた光信号を電気信号に変換するＯ／Ｅ変換を実施する。
【０００７】
従来の光送受信部１２０に設けられている光受信回路（図示せず）は、受光素子として安価なフォトダイオードを使用している。これにより、ＰＯＮシステム１００のコストを抑えることができるが、高感度化および広ダイナミックレンジ化の要求に答えることが困難となる、などの課題があった。
そこで、特許文献１のように、光送受信部１２０の受光素子としてアバランシェフォトダイオード（以下、ＡＰＤとする）を使用することで、より高感度化および広ダイナミックレンジ化を実現する光受信回路を得ることができる。
【特許文献１】特開２００４−３２２００
【発明の開示】
【発明が解決しようとする課題】
【０００８】
ところで、１局の局側端局装置ＯＬＴ１１０あたりの子局ＯＮＵ１９０の収容数を増やすためには、光パワーバジェットを増大させることが必要となる。この光パワーバジェットとは、子局ＯＮＵ１９０側の発光デバイスの最小発光光パワーと局側端局装置ＯＬＴ１１０側の最小受信光パワーとの差をＰＯＮ伝送路の光接続損失・屈曲損失・経年劣化などに配分することをいう。ＰＯＮシステム１００の光パワーバジェットにより、子局ＯＮＵ１９０の収容可能局数が制限される。
【０００９】
たとえば、局側端局装置ＯＬＴ１１０と子局ＯＮＵ１９０との間の光伝送を安定して行うには、子局ＯＮＵ１９０側の発光光パワーの最低値minＴＸｐと、局側端局装置ＯＬＴ１１０側の受信光パワーの最低値minＲＸｐとで決まる光パワーバジェット（minＴＸｐ− minＲＸｐ）内に、局側端局装置ＯＬＴ１１０と子局ＯＮＵ１９０との間のＰＯＮ伝送路１６０の光伝送路損失が収まる必要がある。ＰＯＮ伝送路１６０の具体的な光伝送路損失は、光ファイバー（１７０および１７１）の長さ（約０．４ｄＢ／ｋｍ）、光カプラ１８０での分岐数（３ｄＢ／２分岐）などの合計値で算出される。
【００１０】
光パワーバジェットを増やすためには、局側端局装置ＯＬＴ１１０において、特許文献１のようなＡＰＤを含む高性能な光受信回路を備える光送受信部１２０を使用すれば、局側端局装置ＯＬＴ１１０側の受信光パワーの最低値minＲＸｐを下げることができる。一方、子局ＯＮＵ１９０において、たとえば、分布帰還型半導体レーザ（Distributed FeedBack Laser Diode）などを備える高性能な光送信回路（図示せず）を備える光送受信部を使用することで、子局ＯＮＵ１９０側の発光光パワーの最低値minＴＸｐを上げることもできる。これにより、光パワーバジェットを増やせば、１局の局側端局装置ＯＬＴ１１０あたりの収容可能な子局ＯＮＵ１９０の数を増やすことが可能になる。
【００１１】
しかし、ＡＰＤや分布帰還型半導体レーザは、一般的に高価なため、ＰＯＮシステムのコストが増加してしまう。
また、既存の部材を使用しながら子局ＯＮＵ１９０を増やすためには、１局の局側端局装置ＯＬＴ１１０に対して、さらに子局ＯＮＵ１９０をつなげることが考えられる。子局ＯＮＵ１９０を増やすためには、光カプラ１８０の分岐を増やさなければいけない。
【００１２】
しかし、光カプラ１８０での分岐数（３ｄＢ／２分岐）による光伝送路損失は約１５ｄＢである（ただし、光ファイバの長さは、計算にいれず。）ため、最大３２分岐までしか分岐をすることができない。
さらに、局側端局装置ＯＬＴ１１０と子局ＯＮＵ１９０との間の光ファイバー長を長くしＰＯＮ伝送路１６０を長くすると、さらに光伝送路損失が増える。そして、光カプラ１８０の分岐可能数が減り、結果として、収容可能な子局ＯＮＵ１９０の数が減少する。
【００１３】
したがって、従来技術の範囲内で、従来の部材を使用したＰＯＮシステムでは、１局の局側端局装置ＯＬＴに対する子局ＯＮＵの数は、最大３２局に制限されていた。
そこで、本発明の目的は、低コストで多くの子局と通信ができる局側端局装置およびＰＯＮシステムを提供することである。
【課題を解決するための手段】
【００１４】
上記の目的を達成するための複数ｍ局の子局を光ファイバで結び光通信を行うＰＯＮシステムに用いられる局側端局装置において、上記局側端局装置は、複数ｍ局の子局に対して、子局から送信される光信号を時分割多重させる制御フレームを分配し、上記制御フレームを管理する制御回路と、上記制御回路と複数の子局とに接続され、上記制御回路で用いられる電気信号と上記各子局から送信される光信号との相互の変換を行う複数ｎ個の光送受信部と、上記複数ｎ個の光送受信部からの電気信号について論理和をとって上記制御回路へ送るための論理和回路とを備えている（請求項１）。
【００１５】
この構成によれば、高価な光送受信回路を使用することなく、1局の局側端局装置が収容できる子局の局数を増やすことできる。ここでは、１局の局側端局装置が収容する子局の数をｍ局とし、光送受信部の数をｎ個とする。また、数ｍは、局側端局装置が管理できる論理リンクの最大個数（２５６個）以下の数とする。
下り信号では、上位インターフェースからのフレーム情報は、制御回路としてのＧＥ−ＰＯＮ ＭＡＣ ＬＳＩ（以下、単にＭＡＣ ＬＳＩとする）ＭＡＣ ＬＳＩにより、各子局に対応して、子局から送信される光信号を時分割多重させる制御フレームが付加され、複数の光送受信部に分配される。各光送受信部は、ＭＡＣ ＬＳＩから送られた電気信号を光信号へ変換するＥ／Ｏ変換回路を有している。そして、変換された光信号は、光ファイバなどを介して各子局へ送られる。
【００１６】
一方、上り信号では、局側端局装置内の複数ｎ個の光送受信部は、各子局から送られた光信号を電気信号に変換するＯ／Ｅ変換回路を有している。そして、それぞれの光送受信部によって変換された電気信号は、論理和回路で電気信号について論理和がとられ、ＭＡＣ ＬＳＩへ送られる。
ところで、ＭＡＣ ＬＳＩは各子局に応じた制御フレームを分配しているので、各子局は、その制御フレームで割り当てられた時刻に局側端局装置に向けて信号を送ることができる。そして、各子局から送られた信号は、ぶつかりあうことなしに、光送受信部を介してＭＡＣ ＬＳＩに送られる。よって、ＭＡＣ ＬＳＩが制御フレームを管理している複数ｍ局の子局からの信号に対応することができるので、局側端局装置は複数ｍ局の子局との通信ができる。
【００１７】
ＭＡＣ ＬＳＩ、光送受信部および論理和回路は、また、従来からある部材を使用することができる。これにより、既存の施設や部材を活用することでコストを抑えることができ、局側端局装置に対する収容できる子局の数を増大させることができる。
また、局側端局装置と、複数ｍ局の子局とを光ファイバで結び光通信を行うＰＯＮシステムにおいて、上記局側端局装置は、複数ｍ局の子局に対して、子局から送信される光信号を時分割多重させる制御フレームを分配し、上記制御フレームを管理する制御回路と、上記制御回路と複数の子局とに接続され、上記制御回路で用いられる電気信号と上記各子局から送信される光信号との相互の変換を行う複数ｎ個の光送受信部と、上記複数ｎ個の光送受信部からの電気信号について論理和をとって上記制御回路へ送るための論理和回路とを備えている（請求項２）。
【００１８】
この構成によれば、ＰＯＮシステムは、１局の局側端局装置に対する収容できる子局の数を増大させることができる。
なお、上記少なくとも１つの光送受信部に接続されている光ファイバは、上記局側端局装置からの光信号を分配する光分岐器により複数に分岐されていてもよい（請求項３）。
この光ファイバには、複数ｍ局の子局との通信を実現させるために、光ファイバの途中に光分岐器（光カプラ）を設けることができる。これにより、１本の光ファイバを通じた信号を光カプラを介することで複数の子局に分配することができるので、ＰＯＮシステムは、１局の局側端局装置が処理することができる子局の数を大幅に増やすことができる。
【発明を実施するための最良の形態】
【００１９】
以下では、本発明の実施の形態を、添付図面を参照して詳細に説明する。
図１は、局側端局装置ＯＬＴ１０と複数の子局ＯＮＵ９０との間を光カプラ８０を介して光ファイバ（７０および７１）で接続したＰＯＮシステム１の構成例を示す概略図である。
本発明の光通信システムであるＰＯＮシステム１は、上記ＰＯＮ（Passive Optical Network）技術に、ギガビットイーサネット（Gigabit Ethernet）（イーサネット（Ethernet）は、登録商標である。）技術を取り込み、１．２５Ｇｂｐｓのベースバンド速度で光ファイバのアクセス区間通信を実現するＧＥ−ＰＯＮ（Gigabit Ethernet-Passive Optical Network）方式を採用している。
【００２０】
ＰＯＮシステム１は、局舎が備える局側端局装置ＯＬＴ１０と複数の加入者宅が備える子局ＯＮＵ９０とが、局側端局装置ＯＬＴ１０に直接つながっている幹線光ファイバー７０と光分岐器としての光カプラ８０と子局ＯＮＵ９０に直接つながっている支線光ファイバー７１とを介して接続されている。
子局ＯＮＵ９０は、加入者宅内に設置されるパーソナルコンピュータなど、光ネットワークサービスを享受する端末を接続するためのネットワークインタフェースを備えている。
【００２１】
また、局側端局装置ＯＬＴ１０からは、子局ＯＮＵ９０に接続するため、後述の光送受信部２０Ａ〜２０Ｎに複数の幹線光ファイバ７０Ａ〜７０Ｎが接続されている。
ここでは、幹線光ファイバ７０Ａ、幹線光ファイバ７０Ａに接続している光カプラ８０Ａ、支線光ファイバ７１Ａおよび子局ＯＮＵ９０Ａを総称して、Ａグループ（符号の添え字はＡをもつ）と呼ぶ。また、以下同様に、Ｂグループ〜Ｎグループと呼ぶ。そして、以下では、Ｎグループに対しての説明を行うが、特に断りのない限り、他のグループにも同様のことが言える。
【００２２】
また、ＰＯＮシステム１が収容している子局ＯＮＵ９０の合計をｍ局とし、局側端局装置ＯＬＴ１０に接続されている幹線光ファイバ７０の合計をｎ本、言い換えれば、局側端局装置ＯＬＴ１０の備えるＰＯＮ伝送路６０の合計をｎ組とする。さらに、Ｎグループでの、光カプラ８０Ｎの合計をｓ台とし、ＰＯＮ伝送路６０Ｎの支線光ファイバの合計をｉ本、言い換えれば、Ｎグループに有する子局ＯＮＵ９０の合計をｉ局とする。
【００２３】
Ｎグループにおいて、幹線光ファイバ７０Ｎが接続されているｓ台の光カプラ８０Ｎは、特に外部からの電源供給を必要とせず入力された信号から受動的に信号を分岐・多重するスターカプラで構成されている。
幹線光ファイバ７０Ｎは、ｓ台の光カプラ８０Ｎを介して、ｉ局の子局ＯＮＵ９０Ｎ1〜９０Ｎiに直結しているｉ本の支線光ファイバ７１Ｎ1〜７１Ｎiに接続されている。また、幹線光ファイバ７０Ｎおよび支線光ファイバ７１Ｎ1〜７１Ｎiは、１本の光ファイバからなるシングルモードファイバ（Single Mode Fiber）を用いられる。
【００２４】
つまり、１局の局側端局装置ＯＬＴ１０のＮグループには、ｉ局の子局ＯＮＵ９０Ｎ1〜９０Ｎiが収容されている。
これにより、１局の局側端局装置ＯＬＴ１０は、ｍ局の子局ＯＮＵ９０を収容しているとしたが、たとえば、Ａ〜Ｎグループがそれぞれｉ局の子局ＯＮＵ９０を収容しているとしたとき、ｎ×ｉ局の子局ＯＮＵ９０を収容していると言える。具体的には、ＰＯＮ伝送路６０の合計ｎが８（組）であり、子局ＯＮＵ９０の合計ｉが３２（局）のとき、１局の局側端局装置ＯＬＴ１０は、論理リンクの最大割り当て数の２５６（個）と等しい数の、２５６局の子局ＯＮＵ９０を収容することができる。
【００２５】
図２は、局側端局装置ＯＬＴ１０の内部構成を示すブロック図である。図３は、制御フレームにより制御された各子局ＯＮＵ９０が送信する上り方向のバースト信号を示す概略的なグラフ（ａ）および同一の時間軸座標を用いて示したときの概略的なグラフ（ｂ）である。
局側端局装置ＯＬＴ１０は、インターネット網などの上位網とつながる上位網インターフェース５０と、ギガビットイーサネットに対応した制御回路としてのＧＥ−ＰＯＮ ＭＡＣ ＬＳＩ（以下、単にＭＡＣ ＬＳＩとする）４０と、ＭＡＣ ＬＳＩ４０に接続されたｎ個の光送受信部２０Ａ〜２０Ｎとを有している。また、局側端局装置ＯＬＴ１０は、複数の光送受信部２０Ａ〜２０ＮからＭＡＣ ＬＳＩ４０への電気信号について論理和をとるための手段である論理和回路３０を有する。
【００２６】
なお、結線により論理和が実現できるバイアス条件が満たされているときは、論理和回路３０は必要なく、単に結線するだけでよい。
各光送受信部２０Ａ〜２０Ｎは、それぞれ対応したＰＯＮ伝送路６０Ａ〜６０Ｎに接続している。そして、各ＰＯＮ伝送路６０Ａ〜６０Ｎは、上記のとおり、各子局ＯＮＵ９０に接続している。
【００２７】
ＧＥ−ＰＯＮ方式に従えば、局側端局装置ＯＬＴ１０および各子局ＯＮＵ９０の相互の通信は、可変長なフレームを単位として行われる。フレームの構成は、論理リンク識別子を含むＧＥ−ＰＯＮヘッダと、６４バイト以上のデータからなっている。データの最大サイズは一般に１５３０バイト程度である。
まず、上位のネットワークから局側端局装置ＯＬＴ１０に入ってくる下りパケットは、上位網インターフェース５０を介して、ＭＡＣ ＬＳＩ４０に送られる。ＭＡＣ ＬＳＩ４０は、所定のブリッジ処理が行われ、中継されるべき論理リンクが特定される。ＭＡＣ ＬＳＩ４０は、各子局ＯＮＵ９０に対応した信号に、たとえば、子局ＯＮＵ９０Ｎiに対応した論理リンク識別子を含むＧＥ−ＰＯＮヘッダをフレームに付加する。そして、ＭＡＣ ＬＳＩ４０は、各光送受信部２０Ａ〜２０Ｎに同一のフレーム情報を送る。
【００２８】
同一のフレーム情報を受け取った各光送受信部２０Ａ〜２０Ｎは、それぞれが同様の処理を行い、電気信号を光信号に変換（Ｅ／Ｏ変換）する。よって、インターネット網から受け取った所定のパケット情報は、それぞれの光送受信部２０Ａ〜２０Ｎを介すが同一の光信号に変換され、各グループＡ〜ＮのＰＯＮ伝送路６０Ａ〜６０Ｎを伝送される。
一連のフレーム情報は、各ＰＯＮ伝送路６０Ｎの幹線光ファイバ７０Ｎを通じて、光カプラ８０Ｎでｉ本の支線光ファイバ７１Ｎ1〜７１Ｎiに分岐される。そして、ｉ本の支線光ファイバ７１Ｎ1〜７１Ｎiを通じて各子局ＯＮＵ９０Ｎ1〜９０Ｎiに送られる。各子局ＯＮＵ９０Ｎ1〜９０Ｎiは、それぞれの子局ＯＮＵ９０Ｎ1〜９０Ｎiに対応している論理リンク識別子が付加されたフレーム情報だけを取り込み、パケットを宅内ネットワークインタフェースに中継する。
【００２９】
次に、上り方向、すなわち、子局ＯＮＵ９０から局側端局装置ＯＬＴ１０方向、への通信を説明する。
上り光信号には、各子局ＯＮＵ９０からの上りパケットが含まれている。上り光信号は、各子局ＯＮＵ９０からの光信号どうしが互いに時間的に競合しないように送信される必要がある。そのために、局側端局装置ＯＬＴ１０は、各子局ＯＮＵ９０に対して上り光信号を送信してもよい期間ウインドウ（以下、単にウインドウという）を割り当て、送信される光信号を時分割多重させる制御フレームとして各子局ＯＮＵ９０に通知する。
【００３０】
ウインドウを割り当てられた子局ＯＮＵ９０は、その割り当てられたウインドウに上り光信号を送信する。したがって、各子局ＯＮＵ９０間の上り光信号の競合は回避される。このことは、１つのＭＡＣ ＬＳＩ４０により管理された制御フレームによることから、グループが違っている子局ＯＮＵ９０間の光通信（図３（ａ）参照）においても、適切な時刻にウインドウが割り当てられ、子局９０間の競合は回避することができる（図３（ｂ）参照）。
【００３１】
また、各子局ＯＮＵ９０は、あるウインドウが与えられたとき、そのウインドウに収まる限りフレームを連続して送信してよい。このとき、局側端局装置ＯＬＴ１０と各子局ＯＮＵ９０との間で時計を共有している必要があるが、この時計の時刻合わせは、ＭＡＣ ＬＳＩ４０による制御フレームの通信を行うときに、時刻情報を制御フレームの中に含ませることによって行うことができる。そして、局側端局装置ＯＬＴ１０は、各子局ＯＮＵ９０からの一連のパケット信号を含んだバースト光信号を受信することができる。バースト光信号とは、１．２５Ｇｂｐｓのベースパンド信号で発光状態を変化させた、有限時間の光信号列であり、有意なフレーム列の前には発光状態や受光状態を安定させ、さらに受信側においてベースバンド信号を回復するための同期時間を有し（これらを合わせて同期調整期間（Sync Time）という）、この期間には固有の信号列を送信する。また、有意なフレーム列の後には、消光するための調整時間を有する。
【００３２】
局側端局装置ＯＬＴ１０が受信する光信号波形は、例えば、子局ＯＮＵの発光素子の特性や、光ファイバ（７０および７１）の長さなどの、ＰＯＮ伝送路６０の特性によって異なる。
ある時刻に、特定の子局ＯＮＵ９０、たとえば、子局ＯＮＵ９０Ｎiのみ、からの光信号を受け取った光送受信部２０は、光信号から電気信号へのＯ／Ｅ変換を行い、変換された電気信号を論理和回路３０に送る。論理和回路３０は、電気信号となったフレーム情報をＭＡＣ ＬＳＩ４０に転送する。また、ＭＡＣ ＬＳＩ４０は、フレームのタグ情報などから、どの光送受信部２０から上りフレーム情報を受信したかを検出することができる。そして、子局ＯＮＵ９０Ｎiのみから送信されたフレーム情報のみがＭＡＣ ＬＳＩ４０へのフレーム中継をなされる。よって、各子局ＯＮＵ９０からの信号が競合することはないので、複数の光送受信部２０Ａ〜２０Ｎの受け取った信号は、論理和回路３０を介してＭＡＣ ＬＳＩ４０に送ることができる。
【００３３】
そして、フレーム情報を受け取ったＭＡＣ ＬＳＩ４０は、上位網インターフェース５０を介して、上位のネットワークに送信される。
ところで、ＭＡＣ ＬＳＩ４０により付加される論理リンク識別子は、理論上、２５６局の子局ＯＮＵ９０に対して割り当てることができる。１組のＰＯＮ伝送路６０Ｎに対しての子局ＯＮＵ９０Ｎの割り当ては、光伝送路損失により最大３２局なので、本発明の局側端局装置ＯＬＴ１０は、最大８個の光送受信部２０、つまり、最大８組のＰＯＮ伝送路６０を備えることができる。よって、最大の論理リンクを割り当てるためには、１個のＭＡＣ ＬＳＩ４０から８組のＰＯＮ伝送路６０に接続できるので、局側端局装置ＯＬＴ１０は、論理フレームの上限である最大２５６局の子局ＯＮＵ９０に接続することができる。
【００３４】
以上のように、従来からある部材を用いることでき、１局の局側端局装置ＯＬＴ１０が収容できる子局ＯＮＵ９０を格段に増加させることができるので、低コストで多くの子局ＯＮＵ９０と通信ができる局側端局装置１０を提供することができる。
その他、特許請求の範囲に記載された事項の範囲で種々の設計変更を施すことが可能である。
【図面の簡単な説明】
【００３５】
【図１】局側端局装置ＯＬＴと複数の子局ＯＮＵとの間を光カプラを介して光ファイバで接続したＰＯＮシステムの構成例を示す概略図である。
【図２】局側端局装置ＯＬＴの内部構成を示すブロック図である。
【図３】制御フレームにより制御された各子局ＯＮＵが送信する上り方向のバースト信号を示す概略的なグラフ（ａ）および同一の時間軸座標を用いて示したときの概略的なグラフ（ｂ）である。
【図４】従来のＰＯＮシステムでの局側端局装置ＯＬＴの内部構成を示すブロック図である。
【符号の説明】
【００３６】
１    ＰＯＮシステム
１０    局側端局装置ＯＬＴ
９０    子局ＯＮＵ
２０    光送受信部
３０    論理和回路
４０    ＧＥ−ＰＯＮ ＭＡＣ ＬＳＩ（制御回路）
５０    上位網インターフェース
６０    ＰＯＮ伝送路
７０    幹線光ファイバ
７１    支線光ファイバ
８０    光カプラ（光分岐器）
【図１】
2006352350.tif 000003
【図２】
2006352350.tif 000004
【図３】
2006352350.tif 000005
【図４】
2006352350.tif 000006